(57)【要約】【課題】スケールの付着もスライムの発生も共に効果的に防止できるようにする。【解決手段】循環水１を外気との接触で放熱させる外気接触式放熱器２と熱交換器３とに亘って循環水を循環させながら、その循環水に塩化物を含有する水を補給する水循環方法であって、循環水中に含有する塩化物イオンを電解して次亜塩素酸を発生させながら、循環水中に磁場を設けて、循環水を循環させる。【選択図】　　　　図１
2004073959.tif 000002
【特許請求の範囲】
【請求項１】
循環水を外気との接触で放熱させる外気接触式放熱器と熱交換器とに亘って循環水を循環させながら、その循環水に塩化物を含有する水を補給する水循環方法であって、
前記循環水中に含有する塩化物イオンを電解して次亜塩素酸を発生させながら、前記循環水中に磁場を設けて、前記循環水を循環させる水循環方法。
【請求項２】
循環水を外気との接触で放熱させる外気接触式放熱器と熱交換器とに亘って循環水を循環させながら、その循環水に塩化物を含有する水を補給する水循環方法であって、
前記循環水中にスケール付着防止用のセラミック材を浸漬しておくと共に、前記循環水中に含有する塩化物イオンを電解して次亜塩素酸を発生させながら、前記循環水を循環させる水循環方法。
【請求項３】
循環水を外気との接触で放熱させる外気接触式放熱器と、熱交換器と、前記外気接触式放熱器と前記熱交換器とに亘って循環水を循環させる循環路とを設け、前記循環路に塩化物を含有する水を補給する補給水供給路を設けてある水循環設備であって、
前記循環水中に含有する塩化物イオンを電解して次亜塩素酸を発生させる次亜塩素酸発生装置と、前記循環水中に磁場をかける磁界発生装置とを前記循環路に設けてある水循環設備。
【請求項４】
前記磁界発生装置を、永久磁石で前記循環水中に磁場をかけるように構成してある請求項３記載の水循環設備。
【請求項５】
前記磁界発生装置を、交流電源で励磁されるソレノイドコイルを設けて、前記ソレノイドコイルで前記循環水中に磁場をかけるように構成してある請求項３記載の水循環設備。
【請求項６】
循環水を外気との接触で放熱させる外気接触式放熱器と、熱交換器と、前記外気接触式放熱器と前記熱交換器とに亘って循環水を循環させる循環路とを設け、前記循環路に塩化物を含有する水を補給する補給水供給路を設けてある水循環設備であって、
前記循環水中にスケール付着防止用のセラミック材を浸漬し、前記循環水中に含有する塩化物イオンを電解して次亜塩素酸を発生させる次亜塩素酸発生装置を前記循環路に設けてある水循環設備。
【発明の詳細な説明】
【０００１】
【発明の属する技術分野】
本発明は、循環水を外気との接触で放熱させる外気接触式放熱器と熱交換器とに亘って循環水を循環させながら、その循環水に塩化物を含有する水を補給する水循環方法と、循環水を外気との接触で放熱させる外気接触式放熱器と、熱交換器と、前記外気接触式放熱器と前記熱交換器とに亘って循環水を循環させる循環路とを設け、前記循環路に塩化物を含有する水を補給する補給水供給路を設けてある水循環設備に関する。
【０００２】
【従来の技術】
上記水循環方法や水循環設備は、石油化学産業や鉄鋼産業などの種々の産業分野において間接的又は直接的に被処理物を冷却する目的で、あるいは、ビルの空調、冷暖房、その関連装置などにおいて多量に利用されており、近年の水資源の不足や有効利用の観点から、冷却水の使用量の削減や循環水の高濃縮運転における強制ブロー量の削減など、冷却水の高度利用を図る上で有効である。
しかしながら、上記水循環方法や水循環設備では、循環水を外気との接触で放熱させながら循環させる上に、その循環水に塩化物を含有する水を補給するので、循環水中の塩類濃度が増加して炭酸カルシウムなどのスケールが機器や配管に付着し、熱交換器における熱交換効率の低下などの障害を引き起こすおそれがあるとともに、溶存塩類や栄養源の濃縮などにより循環水の水質が悪化して、細菌、黴、藻類などの微生物群に土砂、塵埃などが混ざり合って形成されるスライムが発生しやすくなり、通水の悪化を引き起こしたり、スライム付着下部において機器や配管の局部腐食を誘発するおそれがある。
そこで、従来、スケールやスライムの付着を抑制するための技術として、例えば特開２００２−１３９０号公報に記載されているように、永久磁石やソレノイドコイル型磁石などにより設けた磁場（磁界）の中で循環水を循環させて水中のスケール成分の微粒子を帯電させたり、循環水中にセラミックボールなどを浸漬して、循環水中のスケール成分を壁面に付着しないように分散させながら循環水を循環させる技術が提案されていたり、例えば特開２００１−６２４５７号公報に記載されているように、循環水中に含有する塩化物イオンを電解して強い酸化力を有する次亜塩素酸を発生させながら循環水を循環させる技術が提案されている。
しかしながら、更にスケールやスライムの付着量を減らせる技術が望まれている。
【０００３】
【発明が解決しようとする課題】
本発明は上記実情に鑑みてなされたものであって、スケールの付着もスライムの発生も共に効果的に防止できるようにすることを目的とする。
【０００４】
【課題を解決するための手段】
請求項１記載の発明の特徴構成は、循環水を外気との接触で放熱させる外気接触式放熱器と熱交換器とに亘って循環水を循環させながら、その循環水に塩化物を含有する水を補給する水循環方法であって、前記循環水中に含有する塩化物イオンを電解して次亜塩素酸を発生させながら、前記循環水中に磁場を設けて、前記循環水を循環させる点にある。
【０００５】
〔作用及び効果〕
循環水中に設けた磁場の中で循環水を循環させてスケール成分を帯電させることにより、循環水中のスケール成分を分散させてスケールの付着を防止することができるのであるが、塩化物イオンを電解して次亜塩素酸を発生させ、同時に、循環水中に磁場を設けてスケール成分を帯電させるので、図３の図表に示すように、循環水中に磁場を設けずに塩化物イオンを電解する場合に比べても、また、塩化物イオンを電解せずに循環水中に磁場を設ける場合に比べても、循環水のｐＨがより低くなり、ＳＩ値（ランゲリア指数）が安定化して、次亜塩素酸の殺菌効果も高まり、スケールの付着もスライムの発生も共に効果的に防止できるとともに、配管系の腐食速度も遅くなった。
【０００６】
請求項２記載の発明の特徴構成は、循環水を外気との接触で放熱させる外気接触式放熱器と熱交換器とに亘って循環水を循環させながら、その循環水に塩化物を含有する水を補給する水循環方法であって、前記循環水中にスケール付着防止用のセラミック材を浸漬しておくと共に、前記循環水中に含有する塩化物イオンを電解して次亜塩素酸を発生させながら、前記循環水を循環させる点にある。
【０００７】
〔作用及び効果〕
循環水中にスケール付着防止用のセラミック材を浸漬しておいて循環水中のスケール成分を分散させることにより、スケールの付着を防止しながら、循環水中に含有する塩化物イオンを電解して次亜塩素酸を発生させることにより、スライムの発生を防止することができるのであるが、循環水中にスケール付着防止用のセラミック材を浸漬した状態で、塩化物イオンを電解するので、図３の図表に示すように、循環水中にスケール付着防止用のセラミック材を浸漬せずに塩化物イオンを電解する場合に比べても、また、塩化物イオンを電解せずに循環水中にスケール付着防止用のセラミック材を浸漬しておく場合に比べても、循環水のｐＨがより低くなり、ＳＩ値（ランゲリア指数）が安定化して、次亜塩素酸の殺菌効果も高まり、スケールの付着もスライムの発生も共に効果的に防止できるとともに、配管系の腐食速度も遅くなった。
【０００８】
請求項３記載の発明の特徴構成は、循環水を外気との接触で放熱させる外気接触式放熱器と、熱交換器と、前記外気接触式放熱器と前記熱交換器とに亘って循環水を循環させる循環路とを設け、前記循環路に塩化物を含有する水を補給する補給水供給路を設けてある水循環設備であって、前記循環水中に含有する塩化物イオンを電解して次亜塩素酸を発生させる次亜塩素酸発生装置と、前記循環水中に磁場をかける磁界発生装置とを前記循環路に設けてある点にある。
【０００９】
〔作用及び効果〕
次亜塩素酸発生装置で循環水中に含有する塩化物イオンを電解して次亜塩素酸を発生させることにより、スライムの発生を防止しながら、磁界発生装置で循環水中にかけた磁場の中で循環水を循環させてスケール成分を帯電させることにより、循環水中のスケール成分を分散させて、スケールの付着を防止することができるのであるが、塩化物イオンを電解して次亜塩素酸を発生させ、同時に、循環水中に磁場をかけてスケール成分を帯電させることができるので、図３の図表に示すように、磁界発生装置を設けずに次亜塩素酸発生装置で塩化物イオンを電解する場合に比べても、また、次亜塩素酸発生装置を設けずに磁界発生装置で循環水中に磁場をかける場合に比べても、循環水のｐＨがより低くなり、ＳＩ値（ランゲリア指数）が安定化して、次亜塩素酸の殺菌効果も高まり、スケールの付着もスライムの発生も共に効果的に防止できるとともに、配管系の腐食速度も遅くなった。
【００１０】
請求項４記載の発明の特徴構成は、前記磁界発生装置を、永久磁石で前記循環水中に磁場をかけるように構成してある点にある。
【００１１】
〔作用及び効果〕
永久磁石で循環水中に磁場をかけるので、ソレノイドコイルで循環水中に磁場をかける場合のような励磁用の電源が不要で、構造の簡略化と運転コストの低減を図ることができる。
【００１２】
請求項５記載の発明の特徴構成は、前記磁界発生装置を、交流電源で励磁されるソレノイドコイルを設けて、前記ソレノイドコイルで前記循環水中に磁場をかけるように構成してある点にある。
【００１３】
〔作用及び効果〕
交流電源で励磁されるソレノイドコイルで循環水中に磁場をかけるので、スケールの付着を効率良く防止できるように、スケール成分の大きさや性状に応じて磁場の強さや周波数を調整してスケール成分を適正に帯電させ易い。
【００１４】
請求項６記載の発明の特徴構成は、循環水を外気との接触で放熱させる外気接触式放熱器と、熱交換器と、前記外気接触式放熱器と前記熱交換器とに亘って循環水を循環させる循環路とを設け、前記循環路に塩化物を含有する水を補給する補給水供給路を設けてある水循環設備であって、前記循環水中にスケール付着防止用のセラミック材を浸漬し、前記循環水中に含有する塩化物イオンを電解して次亜塩素酸を発生させる次亜塩素酸発生装置を前記循環路に設けてある点にある。
【００１５】
〔作用及び効果〕
循環水中にスケール付着防止用のセラミック材を浸漬して循環水中のスケール成分を分散させることにより、スケールの付着を防止しながら、次亜塩素酸発生装置で循環水中に含有する塩化物イオンを電解して次亜塩素酸を発生させることにより、スライムの発生を防止することができるのであるが、循環水中にスケール付着防止用のセラミック材を浸漬した状態で、次亜塩素酸発生装置で塩化物イオンを電解できるので、図３の図表に示すように、循環水中にスケール付着防止用のセラミック材を浸漬せずに次亜塩素酸発生装置で塩化物イオンを電解する場合に比べても、また、次亜塩素酸発生装置で塩化物イオンを電解せずに循環水中にスケール付着防止用のセラミック材を浸漬しておく場合に比べても、循環水のｐＨがより低くなり、ＳＩ値（ランゲリア指数）が安定化して、次亜塩素酸の殺菌効果も高まり、スケールの付着もスライムの発生も共に効果的に防止できるとともに、配管系の腐食速度も遅くなった。
【００１６】
【発明の実施の形態】
以下に本発明の実施の形態を図面に基づいて説明する。
〔第１実施形態〕
図１は、本発明による空調用の水循環設備を示し、冷却用の循環水１を上部から流下させながら外気との接触で放熱させる冷却塔（外気接触式放熱器）２と、冷房用などの熱交換器３と、冷却塔２と熱交換器３とに亘って循環水１を循環させる循環路４と、循環路４に塩化物を含有する水を補給する補給水供給路５とを設け、補給水供給路５から循環路４に塩化物を含有する水を補給しながら、循環路４に設けた循環ポンプ６で循環水１を冷却塔２と熱交換器３とに亘って循環させるように構成してある。
【００１７】
また、循環水１中に含有する塩化物イオンを電解して次亜塩素酸を発生させる次亜塩素酸発生装置７と、循環水１中に磁場をかける磁界発生装置８とを循環路４に設けて、次亜塩素酸発生装置７で循環水１中に含有する塩化物イオンを電解して次亜塩素酸を発生させることにより、微生物の増殖によるスライムの発生を防止しながら、磁界発生装置８で循環水１中にかけた磁場（磁界）の中で循環水を循環させてスケール成分を帯電させることにより、循環水１中のスケール成分を分散させて、スケールの付着を防止できるようにしてある。
【００１８】
前記次亜塩素酸発生装置７は、陽極及び陰極からなる一対の電極を循環水１中に浸漬し、これらの電極の端子間に直流外部電源を用いて電圧を印加する。これにより、陽極の表面において循環水１中の塩化物イオンが酸化され、次亜塩素酸イオンなどの酸化力を有する化学種が発生し、循環水１に次亜塩素酸塩を添加した場合と同様にスライムの発生を防止することができる。
【００１９】
前記一対の電極の素材に特に制限はないが、陰極としては、例えば、ステンレス鋼、アルミニウム、銀などの電極を用いることができ、陽極としては、金属材料に白金族元素の単体又は酸化物を被覆した電極などを用いることができる。
白金族元素としては、ルテニウム、ロジウム、パラジウム、オスミウム、イリジウム及び白金を挙げることができるが、これらの中で、白金、イリジウム及びルテニウムを特に好適に用いることができ、陽極に白金族元素の単体又は酸化物で被覆した電極を用いることにより、白金族元素の触媒作用によって酸化剤の発生効率を向上することができる。
尚、陰極と陽極は、異なる素材とすることができ、あるいは、同一の素材とすることもできる。
【００２０】
前記一対の電極に印加する電圧に特に制限はないが、酸化剤の発生効率の点からは１０Ｖ以上が望ましく、人体に対する安全性を考慮すると、１０〜４０Ｖであることが好ましい。また、循環水中の酸化剤の濃度を測定しながら、酸化剤の濃度が所定の値になるように電流の強さを制御することが好ましい。例えば、循環水１の水質の変動が激しい場合などは、酸化剤の濃度の測定値から、自動的に電流の強さを制御するシステムを付加することにより、安定的に循環水１を維持管理することができる。
【００２１】
前記磁界発生装置８は、永久磁石で循環路４における循環水１中に磁場をかけるように構成してあるものでも、交流電源で励磁されるソレノイドコイルを設けて、そのソレノイドコイルで循環路４における循環水１中に磁場をかけるように構成してあるものでも良い。
【００２２】
永久磁石で循環路４における循環水１中に磁場をかける磁界発生装置８を設ける場合は、永久磁石に特に制限はなく、例えば、アルニコ、バリウム−フェライト、鉄−ネオジム−ホウ素、サマリウム−コバルトなどの永久磁石を挙げることができる。
前記永久磁石は、スケール成分を含む循環水１が磁場を直角に横切って流れるように、循環路４を形成している配管内に設置する。循環路４における循環水１の流速は、１．５ｍ／秒以上になるように、永久磁石設置部分の配管径を適宜選択することが好ましい。永久磁石によって循環水１中に磁場を形成し、循環水１の流れによって磁束を切断すると、数ｍＡ程度のイオン電流が発生し、循環水１のクラスターが微細化して、循環水１中のスケール成分を分散して付着を防止するのみならず、すでに付着したスケールをも軟化し、剥離することができる。
【００２３】
ソレノイドコイルで循環路４における循環水１中に磁場をかける磁界発生装置８を設ける場合は、配管の外側にソレノイドコイルを巻いて使用できるので、既存の循環路４に改造工事を行うことなく設置することができる。
配管の材質に特に制限はなく、例えば、銅、ステンレス鋼、青銅、プラスチックの配管などを挙げることができる。
ソレノイドコイルには、交流電圧を印加し、コンピューター制御により、周波数を２，０００〜７，０００Ｈｚの範囲で変調するとともに、振幅も変調することが好ましい。
【００２４】
ソレノイドコイルによって循環水１中に磁場が形成されることにより、循環水１中に存在するスケール成分の微粒子表面にて電荷が高められ、互いに反発しあうので、凝集して大きい粒子になることがなく、スケールとして壁面に付着することもない。微粒子を帯電させる磁場の条件は、微粒子の大きさによって異なるが、ソレノイドコイルに印加する電流の周波数と振幅を変調することにより、すべての微粒子の表面電荷を高めることができる。
【００２５】
〔第２実施形態〕
図２は、第１実施形態において示した磁界発生装置８に代えて、スケール付着防止用のセラミック材としてのセラミックボール９を循環水１に浸漬してある水循環設備を示し、その他の構成は第１実施形態と同様である。
【００２６】
前記セラミックボール９としては、例えば、正磁性化合物と反磁性化合物を含むセラミックを焼結し磁気化した複合多孔質セラミックボールなどを挙げることができ、冷却塔２のピットに浸漬してあるが、セラミックボールの設置位置に特に制限はない。
【００２７】
前記セラミックボール９は、電磁波動機能を有するために、酸素イオンや負の金属イオンを発生するとともに、循環水１のクラスターを微細化し、カルシウム、マグネシウムなどに由来するスケール成分を分散してスケール化を防止し、さらに、すでに付着しているスケールを軟弱化し、剥離することができる。
【００２８】
〔その他の実施形態〕
１．本発明による水循環方法と水循環設備は、間接的又は直接的に被処理物を冷却する目的で、あるいは、ビルの空調、冷暖房、その関連装置などにおいて使用することができる。
２．本発明による水循環方法と水循環設備は、磁界発生装置とセラミックボールとを併用してスケールの付着を防止するようにしても良い。
３．本発明による水循環方法と水循環設備は、永久磁石で循環路における循環水中に磁場をかけるように構成してある磁界発生装置と、交流電源で励磁されるソレノイドコイルを設けて、そのソレノイドコイルで循環路における循環水中に磁場をかけるように構成してある磁界発生装置とを併用して、スケールの付着を防止するようにしても良い。
４．本発明による水循環方法と水循環設備は、循環水中に食塩を溶解させて含有させた塩化物イオンを電解して次亜塩素酸を発生させる次亜塩素酸発生装置を設けても良い。
【００２９】
【実施例】
上記水循環設備のスケール付着防止効果とスライム付着防止効果の評価を行った。
評価に使用した水循環設備は、保有水量が２００リットルであり、外径が１６ｍｍのＳＵＳ３０４のチューブを備えた伝熱面積が０．２４ｍ２の熱交換器３を備え、近江八幡市水を補給水として、循環水１の流量を１，１２０リットル／ｈとして、１０倍濃縮運転を１５日間行った。
【００３０】
循環水１の熱交換器入口温度は３０℃、熱交換器出口温度は５０℃に保った。循環水１のピットに、２２ｍｍ×８０ｍｍ×２ｍｍの炭素鋼（ＳＳ−４００）試験片３枚を浸漬し、１５日後に取り出して洗浄、乾燥したのち秤量し、試験前後の重量差から腐食速度を算出した。また、熱交換器３のチューブを取り外して、乾燥したのち秤量し、試験前後の重量差からスケール付着量を算出した。
【００３１】
永久磁石で循環水中に磁場をかける磁界発生装置８を設けた水循環設備では、磁束密度１．２テスラとなるように永久磁石を内装した磁気処理ユニットを熱交換器前段の配管に設置した。
ソレノイドコイルで循環水中に磁場をかける磁界発生装置８を設けた水循環設備では、磁束密度１．２テスラとなるように熱交換器前段の配管まわりにコイルをまきつけて電流を流した。
セラミックボール９を循環水１中に浸漬した水循環設備では、セラミックボール９をＳＵＳ製ハウジング容器に充填されたユニットを熱交換器前段の配管に設置した。
【００３２】
次亜塩素酸発生装置７は、全流量中の３００リットル／ｈを、バイパスラインを通して、次亜塩素酸発生装置７に引き込み、直流電圧を印加して次亜塩素酸イオンを発生させつつ、１５日間の運転を行った。
【００３３】
補給水は、塩化物イオン濃度１０ｍｇＣｌ／リットル、カルシウム硬度約２７ｍｇＣａＣＯ３／リットルの水道水を用い、濃縮倍率１０倍として残留塩素濃度が０．５ｍｇＣｌ／リットルとなるように調整した。
【００３４】
そして、循環路４に計測装置を設けて、その計測装置に設置したシリコンチューブ内に付着成長したスライムを採取し、１０５℃において恒量になるまで乾燥して、測定された重量の算術平均値からスライム付着量を求めた。
【００３５】
比較例１
スケールの付着を防止するための磁界発生装置８もスケール付着防止用のセラミック材９も使用せず、また、次亜塩素酸発生装置７も使用せずに比較試験として実施した。比較例１のスケール付着量とスライム付着量を１００として他の実施例結果の対照比較表示として使用した。試験最終のｐＨは８．８で炭素鋼の腐食速度は４５ｍｄｄであった。
【００３６】
実施例１
永久磁石を使用する磁界発生装置８を用い、次亜塩素酸発生装置７にて次亜塩素酸発生量を０．５ｍｇＣｌ／ミリリットルに調整した。比較例１と比較してスケール付着量が１、スライム付着量は１５となった。試験最終のｐＨは７．７で炭素鋼の腐食速度は１１ｍｄｄであった。
【００３７】
実施例２
ソレノイドコイルを使用する磁界発生装置８を用い、次亜塩素酸発生装置７にて次亜塩素酸発生量を０．５ｍｇＣｌ／ミリリットルに調整した。比較例１と比較してスケール付着量が２、スライム付着量は１５となった。試験最終のｐＨは７．６で炭素鋼の腐食速度は１２ｍｄｄであった。
【００３８】
実施例３
スケール付着防止用のセラミック材としてセラミックボール９を用い、次亜塩素酸発生装置７にて次亜塩素酸発生量を０．５ｍｇＣｌ／ミリリットルに調整した。比較例１と比較してスケール付着量が４、スライム付着量は２０となった。試験最終のｐＨは７．７で炭素鋼の腐食速度は１５ｍｄｄであった。
【００３９】
比較例２
永久磁石を使用する磁界発生装置８を用い、次亜塩素酸発生装置７を使用しない条件とした。比較例１と比較してスケール付着量が８、スライム付着量は７５となった。試験最終のｐＨは７．９で炭素鋼の腐食速度は３１ｍｄｄであった。
【００４０】
比較例３
ソレノイドコイルを使用する磁界発生装置８を用い、次亜塩素酸発生装置７を使用しない条件とした。比較例１と比較してスケール付着量が９、スライム付着量は８０となった。試験最終のｐＨは７．８で炭素鋼の腐食速度は３５ｍｄｄであった。
【００４１】
実施例４
スケール付着防止用のセラミック材としてセラミックボール９を用い、次亜塩素酸発生装置７を使用しない条件とした。比較例１と比較してスケール付着量が７、スライム付着量は６０となった。試験最終のｐＨは８で炭素鋼の腐食速度は３８ｍｄｄであった。
【００４２】
実施例５
スケールの付着を防止するための磁界発生装置８もスケール付着防止用のセラミック材９も使用せず、次亜塩素酸発生装置７を使用しない条件とした。比較例１と比較してスケール付着量が４５、スライム付着量は５０となった。試験最終のｐＨは８．５で炭素鋼の腐食速度は２６ｍｄｄであった。
【００４３】
図３は、実施例１〜３及び比較例１〜５による炭素鋼の腐食速度，スケール付着量，スライム付着量，最終ｐＨを比較した評価結果を示している。
図３に示すように、比較対象とした比較例１ではスケール付着量、スライム付着量、炭素鋼の腐食速度のいずれも大きくなっているのに対して、実施例１〜３では、スケール付着量、スライム付着量も小さく、炭素鋼の腐食速度も軽減されている。
また、比較例２〜４では、スケール付着量は小さいがスライム付着量、炭素鋼の腐食速度が大きい。さらに、比較例５では、スライム付着量は小さいが、スケール付着量、炭素鋼の腐食速度は大きい。
【００４４】
実施例１〜３の如く、スケールの付着を防止するための磁界発生装置８或いはスケール付着防止用のセラミック材９と、次亜塩素酸発生装置７とを併用した場合は、最終ｐＨが最も低く維持され、スケール付着量もスライム付着量も共に少なく、スケールの付着もスライムの発生も共に効果的に防止できるとともに、配管系の腐食速度も遅くなっていることが分かる。
【図面の簡単な説明】
【図１】第１実施形態の水循環設備の概略図
【図２】第２実施形態の水循環設備の概略図
【図３】評価結果を示す図表
【符号の説明】
１　循環水
２　外気接触式放熱器
３　熱交換器
４　循環路
５　補給水供給路
７　次亜塩素酸発生装置
８　磁界発生装置
９　セラミック材
【図１】
2004073959.tif 000003
【図２】
2004073959.tif 000004
【図３】
2004073959.tif 000005